(57)【要約】【課題】ＣＰＵの動作周波数，ハードディスクドライブやメモリ等の記憶容量等の各種搭載デバイスの構成情報に応じて、適正なファンの駆動制御を行なう。【解決手段】内部に複数の搭載デバイス２１，２２を備えた各種機器２０等の筐体に備えられた空冷用のファン１１と、筐体内に備えられた温度センサ１２と、温度センサからの検出信号により筐体内の温度を検知して、その温度に対応するファンの駆動電圧Ｖを設定し、この駆動電圧によりファンの駆動制御を行なう駆動制御装置１３とを有するファン式空冷装置であって、駆動制御装置が、各搭載デバイスの構成情報に応じたファンの駆動電圧を設定するためのデータファイルを備え、筐体内の搭載デバイスのうち、複数の搭載デバイスについて、各搭載デバイスの構成情報からデータファイルを参照してファンの駆動電圧を設定するように構成する。【選択図】      図１
2004280164.tif 000002
【特許請求の範囲】
【請求項１】
内部に複数の搭載デバイスを備えた各種機器等の筐体に備えられた空冷用のファンと、上記筐体内に備えられた温度センサと、温度センサからの検出信号により筐体内の温度を検知して、その温度に対応するファンの駆動電圧を設定して、この駆動電圧によりファンの駆動制御を行なう駆動制御装置と、を設けたファン式空冷装置であって、
上記駆動制御装置が、各搭載デバイスの構成情報に応じたファンの駆動電圧を設定するためのデータファイルを備えており、筐体内の搭載デバイスのうち、複数の搭載デバイスについて、各搭載デバイスの構成情報からデータファイルを参照してファンの駆動電圧を設定することを特徴とするファン式空冷装置。
【請求項２】
上記搭載デバイスのうち、一つの搭載デバイスがＣＰＵであって、駆動制御装置が、ＣＰＵの構成情報として動作周波数に対応して、ファンの駆動電圧を設定することを特徴とする請求項１に記載のファン式空冷装置。
【請求項３】
上記搭載デバイスのうち、一つの搭載デバイスがハードディスクドライブであって、駆動制御装置が、ハードディスクドライブの構成情報として記憶容量に対応して、ファンの駆動電圧を設定することを特徴とする請求項１または２に記載のファン式空冷装置。
【請求項４】
上記搭載デバイスのうち、一つの搭載デバイスがメモリであって、駆動制御装置が、メモリの構成情報として記憶容量に対応して、ファンの駆動電圧を設定することを特徴とする請求項１〜３のいずれかに記載のファン式空冷装置。
【請求項５】
上記駆動制御装置が、各搭載デバイスの構成情報の組合せ毎に対応したフラグ情報を有しており、このフラグ情報毎にそれぞれ上記データファイルを備えていることを特徴とする請求項１〜４のいずれかに記載のファン式空冷装置。
【請求項６】
上記データファイルが複数あり、デバイスの構成情報にもとづいて一つのデータファイルを選択することを特徴とする請求項１〜５のいずれかに記載のファン式空冷装置。
【請求項７】
複数の発熱装置と、
この複数の発熱装置を冷却するファンと、
前記複数の発熱装置に関する動的な情報を検出する検出手段と、
この検出手段の検出結果に応じて前記ファンを制御するための複数の制御情報を前記複数の発熱装置の静的な情報の組合せに基づいて選択する駆動制御装置とを含むことを特徴とするファン式空冷装置。
【請求項８】
内部に複数の搭載デバイスを備えた各種機器等の筐体に備えられた空冷用のファンに関して、上記筐体内に備えられた温度センサからの検出信号により筐体内の温度を検知して、その温度に対応するファンの駆動電圧を設定して、この駆動電圧によりファンの駆動制御を行なうファン式空冷装置の駆動制御方法であって、
各搭載デバイスの構成情報に応じたファンの駆動電圧を設定するためのデータファイルを備えており、筐体内の搭載デバイスのうち、複数の搭載デバイスについて、各搭載デバイスの構成情報からデータファイルを参照してファンの駆動電圧を設定することを特徴とするファン式空冷装置の駆動制御方法。
【発明の詳細な説明】
【０００１】
【発明の属する技術分野】
本発明は、ファン式空冷装置に関し、特にファンの駆動により発生する騒音をできるだけ抑制するようにしたファン式空冷装置の駆動制御の技術に関する。
【０００２】
【従来の技術】
従来、例えばサーバ装置等のコンピュータ装置においては、高信頼性を実現するために、いわゆるＲＡＳ機能の充実が要求されている。このため、コンピュータ装置が設置されている環境を所定温度範囲に維持するために、環境温度に応じて、ファン式空冷装置のファン回転数を自動切り替えする駆動制御方法が知られている。
【０００３】
このようなファン式空冷装置１００は、例えば図４に示すように、コンピュータ装置の内部に設けられた空冷用のファン１０１と、コンピュータ装置内に設けられた温度センサ１０２と、温度センサ１０２からの検出温度に基づいてファン１０１を駆動制御する駆動制御装置１０３と、から構成されている。
【０００４】
このような構成のファン式空冷装置１００によれば、駆動制御装置１０３が、コンピュータ装置内に備えられた温度センサ１０２からの検出信号に基づいて、装置内温度Ｔを検出し、温度Ｔ−ファンの駆動電圧Ｖの対比データ１０４からこの装置内温度Ｔに対応するファンの駆動電圧Ｖを読み出して、この駆動電圧Ｖによりファン１０１の駆動制御を行なう。
【０００５】
具体的には、駆動制御装置１０３は、上記対比データ１０４として、図５に示すように、装置内温度Ｔすなわち環境温度の所定範囲毎にファン１０１への駆動電圧が設定されているデータファイル１０５をあらかじめ備えており、このデータファイル１０５を参照して、装置内温度Ｔに対応するファンの駆動電圧Ｖをデータファイル１０４から読み出して、この駆動電圧Ｖによりファン１０１を駆動制御するようになっている。
【０００６】
これにより、例えば装置内温度Ｔが２８℃と比較的低い場合には、ファン１０１の駆動電圧Ｖを最高値の８０％に設定することにより、ファン１０１を必要以上に高い回転数で駆動制御することを抑制して、ファン１０１の騒音を低減して、低騒音化を図るようにしている。
【０００７】
他方、コンピュータ装置に搭載されるＣＰＵとしては各種動作周波数のものがあり、これらの動作周波数は一般的にユーザが選択することができる。
このようにＣＰＵの動作周波数が複数種類設定可能である場合、ＣＰＵの発熱量はその動作周波数に依存することから、前述した駆動制御装置３におけるデータファイルは、ＣＰＵの最高動作周波数を想定して作成することになる。このため、最高動作周波数のＣＰＵを選択しない場合には、ファンの駆動電圧が必要以上に高くなって、ファンの騒音が必要以上に大きくなってしまう。
【０００８】
これに対して、例えば特許文献１および特許文献２に示すように、ＣＰＵの動作周波数を識別することにより、ＣＰＵ動作周波数に見合ったファンの駆動電圧を設定して、ファンを駆動することが公知である。
【０００９】
また、特許文献３には、発熱量の異なる複数の動作モードを有する発熱体と、それ以外の発熱体に対して、それぞれ温度を検出するための温度センサを設けて、これらの温度センサの検出温度に基づいて、ファンを駆動制御することにより、双方の発熱体を空冷するようにした、ファン式空冷装置が開示されている。
【００１０】
さらに、特許文献４には、電子装置に内蔵される筐体内の複数箇所に、それぞれ温度センサを設けておき、各温度センサの検出温度に基づいて、ファンを駆動制御することにより、電子装置内を冷却するようにした、ファン式空冷装置が開示されている。
【００１１】
【特許文献１】
特開平１０−３２６１２５号（第２−４頁，第１−２図）
【特許文献２】
特開平１１−１２９５７８号（第２−３頁，第１図）
【特許文献３】
特開２００２−００６９９１号（第２−４頁，第３図，第５図）
【特許文献４】
特開平０９−２５０４８９号（第２−４頁，第１図）
【００１２】
【発明が解決しようとする課題】
しかしながら、上述した各特許文献による空冷装置においては、以下のような問題がある。
すなわち、特許文献１および２による空冷装置においては、コンピュータ装置に内蔵される各種搭載デバイスのうち、ＣＰＵのみに限定して、その動作周波数に見合ったファンの駆動電圧を設定して、ファンを駆動制御するようにしている。
他方、コンピュータ装置内の各種搭載デバイスのうち、例えばハードディスクドライブやメモリ等も発熱すると共に、これらも記憶容量に応じて発熱量が異なることが知られている。
【００１３】
したがって、これらのハードディスクドライブやメモリ等についても、その記憶容量に応じて、ファンの最適な駆動電圧を設定することが望ましいが、上記特許文献１および２による空冷装置は、このような設定を行なうことができず、そのため最大容量に対応してファンの駆動電圧を設定するようにしている。
このようにして、特許文献１および２による空冷装置においては、最大容量のハードディスクドライブやメモリ等を選択しない場合には、ファンの駆動電圧が必要以上に高くなって、ファンの騒音が必要以上に大きくなってしまう。
【００１４】
また、特許文献３による空冷装置においては、発熱体となり得るＣＰＵおよび電源回路等に対して、それぞれ温度センサを設けて、これらの検出温度に基づいて、ファンの駆動電圧を設定している。このため、各発熱体毎に温度センサが必要であるが、現在市販されているハードディスクドライブやメモリ等の各種搭載デバイスには温度センサは搭載されておらず、これらに新たに温度センサを設置することが必要になると共に、温度センサから駆動制御装置への配線が必要になってしまう。
【００１５】
さらに、特許文献４による空冷装置においては、電子装置に内蔵される筐体の複数箇所に、それぞれ温度センサを設けておき、各温度センサの検出温度に基づいて、ファンの駆動電圧を設定している。このため、複数の温度センサが必要であると共に、ＣＰＵの動作周波数やハードディスク，メモリ等の各種搭載デバイスに対応して、ファンの駆動電圧を設定することはできない。
【００１６】
本発明は、上記の問題を解決するためになされたものであり、ＣＰＵの動作周波数，ハードディスクドライブやメモリ等の記憶容量等の各種搭載デバイスの構成情報に応じて、適正なファンの駆動制御を行なうようにした、ファン式空冷装置における駆動制御技術の提供を目的とする。
【００１７】
【課題を解決するための手段】
この目的を達成するため、本発明の請求項１記載のファン式空冷装置は、内部に複数の搭載デバイスを備えた各種機器等の筐体に備えられた空冷用のファンと、上記筐体内に備えられた温度センサと、温度センサからの検出信号により筐体内の温度を検知して、その温度に対応するファンの駆動電圧を設定して、この駆動電圧によりファンの駆動制御を行なう駆動制御装置と、を設けたファン式空冷装置であって、上記駆動制御装置が、各搭載デバイスの構成情報に応じたファンの駆動電圧を設定するためのデータファイルを備えており、筐体内の搭載デバイスのうち、複数の搭載デバイスについて、各搭載デバイスの構成情報からデータファイルを参照してファンの駆動電圧を設定する構成としてある。
【００１８】
ファン式空冷装置をこのような構成とすると、ファンは、筐体内の各搭載デバイスの構成情報に対応したデータファイルによって、このデータファイルに設定されたファンの駆動電圧により駆動制御されることになるので、ファンの回転数は各搭載デバイスの構成情報に対応したデータファイルにより最適な回転数となり、各種機器の内部の各搭載デバイスを冷却することにより、各搭載デバイスが十分に空冷されると共に、ファンの駆動により発生する各種機器全体の騒音レベルが低く抑制されることになる。
【００１９】
ここで、各種機器の内部の一部で温度が上昇すると、この部位の温度が温度センサにより検出されるので、駆動制御装置は、当該温度センサの検出信号に基づいて、データファイルによりファンの回転数を駆動制御して、回転数を高めることにより、より強く空冷して、筐体内の温度を低下させる。
そして、筐体内の温度が十分に低くなると、駆動制御装置は、再びデータファイルによりファンの駆動電圧を定常運転状態のファンの駆動電圧に戻して、ファンの回転数を低くし、再び定常運転状態に戻す。
【００２０】
したがって、各種機器の筐体内の各搭載デバイスの構成情報に応じて、駆動制御装置は、データファイルによりファンの駆動電圧を設定して、ファンの回転数をできるだけ低く抑制することにより、ファンの駆動により発生する騒音が小さくなると共に、ファンの駆動のための消費電力も低減され得ることになる。
【００２１】
請求項２記載のファン式空冷装置は、上記搭載デバイスのうち、一つの搭載デバイスがＣＰＵであって、駆動制御装置が、ＣＰＵの構成情報として動作周波数に対応して、ファンの駆動電圧を設定する構成としてある。
ファン式空冷装置をこのような構成とすると、ＣＰＵの動作周波数に対応して、駆動制御装置がファンの駆動電圧を設定するので、できるだけ低いファンの回転数によりＣＰＵが確実に空冷されることになる。
【００２２】
請求項３記載のファン式空冷装置は、上記搭載デバイスのうち、一つの搭載デバイスがハードディスクドライブであって、駆動制御装置が、ハードディスクドライブの構成情報として記憶容量に対応して、ファンの駆動電圧を設定する構成としてある。
ファン式空冷装置をこのような構成とすると、ハードディスクドライブの記憶容量に対応して、駆動制御装置がファンの駆動電圧を設定するので、できるだけ低いファンの回転数によりハードディスクドライブが確実に空冷されることになる。
【００２３】
請求項４記載のファン式空冷装置は、上記搭載デバイスのうち、一つの搭載デバイスがメモリであって、駆動制御装置が、メモリの構成情報として記憶容量に対応して、ファンの駆動電圧を設定する構成としてある。
ファン式空冷装置をこのような構成とすると、メモリの記憶容量に対応して、駆動制御装置がファンの駆動電圧を設定するので、できるだけ低いファンの回転数によりメモリが確実に空冷されることになる。
【００２４】
請求項５記載のファン式空冷装置は、上記駆動制御装置が、各搭載デバイスの構成情報の組合せ毎に対応したフラグ情報を有しており、このフラグ情報毎にそれぞれ上記データファイルを備えている構成としてある。
そして、請求項６記載のファン式空冷装置は、上記データファイルが複数あり、デバイスの構成情報にもとづいて一つのデータファイルを選択する構成としてある。
ファン式空冷装置をこのような構成とすると、駆動制御装置が、各搭載デバイスの構成情報の組合せに対応するフラグ情報を読み取って、このフラグ情報に対応したデータファイルに基づいて、ファンの駆動電圧を設定して、ファンを駆動制御することにより、個々のデータファイルが小さくなり、これらのデータファイルにより容易にそして高速でファンの駆動電圧を設定することができる。
【００２５】
請求項７記載のファン式空冷装置は、複数の発熱装置と、この複数の発熱装置を冷却するファンと、前記複数の発熱装置に関する動的な情報を検出する検出手段と、この検出手段の検出結果に応じて前記ファンを制御するための複数の制御情報を前記複数の発熱装置の静的な情報の組合せに基づいて選択する駆動制御装置とを含む構成としてある。
ファン式空冷装置をこのような構成とすると、前記複数の制御情報のうちから静的な情報に基づいて選択した一つの制御情報により、前記動的な情報に基づいてファンが駆動制御される。
【００２６】
また、この目的を達成するため、本発明の請求項８記載のファン式空冷装置の駆動制御方法は、内部に複数の搭載デバイスを備えた各種機器等の筐体に備えられた空冷用のファンに関して、上記筐体内に備えられた温度センサからの検出信号により筐体内の温度を検知して、その温度に対応するファンの駆動電圧を設定して、この駆動電圧によりファンの駆動制御を行なうファン式空冷装置の駆動制御方法であって、各搭載デバイスの構成情報に応じたファンの駆動電圧を設定するためのデータファイルを備えており、筐体内の搭載デバイスのうち、複数の搭載デバイスについて、各搭載デバイスの構成情報からデータファイルを参照してファンの駆動電圧を設定する構成としてある。
【００２７】
ファン式空冷装置の駆動制御方法をこのような構成とすると、筐体内の各搭載デバイスの構成情報に対応したデータファイルによって、このデータファイルに設定されたファンの駆動電圧によりファンを駆動制御するので、ファンの回転数は各搭載デバイスの構成情報に対応したデータファイルにより最適な回転数となり、各種機器の内部の各搭載デバイスを冷却することにより、各搭載デバイスが十分に空冷されると共に、ファンの駆動により発生する各種機器全体の騒音レベルが低く抑制されることになる。
【００２８】
ここで、各種機器の内部の一部で温度が上昇すると、この部位の温度が温度センサにより検出されるので、当該温度センサの検出信号に基づいて、データファイルによりファンの回転数が駆動制御され、回転数を高めることにより、より強く空冷して、筐体内の温度を低下させる。そして、筐体内の温度が十分に低くなると、再びデータファイルによりファンの駆動電圧が定常運転状態のファンの駆動電圧に戻され、ファンの回転数が低くなって、再び定常運転状態に戻る。
【００２９】
したがって、定常運転状態では、各種機器の筐体内の各搭載デバイスの構成情報に応じて、データファイルによりファンの駆動電圧が設定され、ファンの回転数ができるだけ低く抑制されることにより、ファンの駆動により発生する騒音が小さくなると共に、ファンの駆動のための消費電力も低減され得ることになる。
【００３０】
このようにして、本発明によるファン式空冷装置およびその駆動制御方法によれば、各種機器の筐体内の各搭載デバイスの構成情報、例えばＣＰＵの動作周波数，ハードディスクドライブやメモリの記憶容量等に応じて、ファンの駆動電圧を設定することによって、筐体内を十分に冷却しつつ、できるだけ低いファンの回転数を実現することができるので、ファンの運転により発生する騒音ができるだけ低減され得ることになり、さらにファンの駆動のための消費電力も低減され得ることになる。
【００３１】
【発明の実施の形態】
以下、本発明の実施の形態について、図面を参照して説明する。
まず、本発明のファン式空冷装置の一実施形態について、図１〜図３を参照して説明する。
図１は、本実施形態によるファン式空冷装置の一実施形態の構成を示すブロック図である。
【００３２】
図１に示すように、ファン式空冷装置１０は、図示しないコンピュータ装置内部を空冷するためのものであり、コンピュータ装置の内部に設けられた空冷用のファン１１と、コンピュータ装置内に設けられた温度センサ（検出手段）１２と、温度センサ１２からの検出温度（動的な情報）に基づいてファン１１を駆動制御する駆動制御装置１３と、から構成されている。
【００３３】
上記ファン１１は、公知の構成であって、駆動制御装置１３により駆動制御されることにより、制御された回転数で回転駆動され、例えば装置内部から外方に向かって気流を発生させることにより、装置内の発熱により高温になった空気を排出するようになっている。
【００３４】
上記温度センサ１２は、同様に公知の構成であって、コンピュータ装置の内部の適宜の箇所に配置されており、コンピュータ装置内の温度（環境温度）Ｔを検出して、検出信号を出力するようになっている。
【００３５】
上記駆動制御装置１３は、温度センサ１２からの検出信号に基づいて、ファンの駆動電圧を設定するための温度−ファンの駆動電圧対比データ（制御情報）１４により、最適なファンの駆動電圧Ｖを設定して、この駆動電圧Ｖにより、ファン１１を駆動制御するようになっている。
【００３６】
ここで、駆動制御装置１３は、上記温度−ファンの駆動電圧対比データ１４として、図２に示す搭載デバイス（発熱装置）の構成情報（静的な情報）を示すフラグ情報３０、そして、図３に示すデータファイルを前もって備えている。
すなわち、上記駆動制御装置１３は、搭載デバイスの構成情報として、コンピュータ装置に搭載されているＣＰＵ２１の動作周波数とハードディスクドライブ２２の記憶容量を識別することができるようになっている。
そして、駆動制御装置１３は、これらのＣＰＵ２１の動作周波数およびハードディスクドライブ２２の記憶容量の組合せ毎に対応するフラグ３１から成るフラグ情報３０（図２参照）を前もって備えており、識別したＣＰＵ２１の動作周波数およびハードディスクドライブ２２の記憶容量の組合せに基づいて、上記フラグ情報３０から対応するフラグ３１を読み出す。
【００３７】
さらに、駆動制御装置１３は、各フラグ３１に対応する検出温度Ｔ−ファンの駆動電圧Ｖのデータファイル３２、具体的には「２」なるフラグ３１に対するデータファイル３２ａ，「１」なるフラグ３１に対するデータファイル３２ｂ，「０」なるフラグ３１に対するデータファイル３２ｃの複数のデータファイルを前もって備えており、上記のように読み出したフラグ３１に対応するデータファイル３２（３２ａ，３２ｂまたは３２ｃ）を使用して、温度センサ１２からの検出温度Ｔに対応して、ファンの駆動電圧Ｖを設定するようになっている。
【００３８】
すなわち、温度センサ１２からの検出温度Ｔが高くなった場合には、駆動制御装置１３は、対応するデータファイル３２に基づいて、検出温度Ｔに対応したファンの駆動電圧Ｖを設定して、より高い回転数でファン１１を駆動制御して、ファン１１の空冷能力を高めて、コンピュータ装置の内部の環境温度Ｔを低下させるようになっている。
【００３９】
次に、本実施形態のファン式空冷装置１０の動作について説明する。
まず、図示しない、コンピュータ装置が作動すると、コンピュータ装置に内蔵されたファン式空冷装置１０も作動する。
これにより、ファン式空冷装置１０の駆動制御装置１３は、コンピュータ装置のＣＰＵ２１の動作周波数およびハードディスクドライブ２２の記憶容量を識別して、識別したコンピュータ装置のＣＰＵ２１の動作周波数およびハードディスクドライブ２２の記憶容量の組合せに対応するフラグ３１をフラグ情報３０から読み出す。
例えば、ＣＰＵ２１の動作周波数が２ＧＨｚ，ハードディスクドライブ２２の記憶容量が７４ＧＢの場合には、駆動制御装置１３は、フラグ情報３０から「２」なるフラグ３１を読み出す。
【００４０】
続いて、駆動制御装置１３は、このフラグ３１に対応するデータファイル３２を利用して、温度センサ１２からの検出温度Ｔに対応するファンの駆動電圧Ｖを設定する。
例えば、上記例の場合、駆動制御装置１３は、「２」なるフラグ３１により、データファイル３２ａを利用して、温度センサ１２からの検出温度Ｔに対応して、例えば検出温度Ｔが２５℃未満の場合には、ファン１１の駆動電圧Ｖを最大値の６０％に設定し、検出温度Ｔが２５℃以上３０℃未満の場合には、駆動電圧Ｖを最大値の８０％に設定し、検出温度Ｔが３０℃以上の場合には、駆動電圧Ｖを最大値１００％に設定する。
【００４１】
そして、駆動制御装置１３は、設定したファンの駆動電圧Ｖにより、ファン１１を駆動制御する。
これにより、コンピュータ装置は、ファン１１が、コンピュータ装置のＣＰＵ２１の動作周波数，ハードディスクドライブ２２の記憶容量そして温度センサ１２による検出温度Ｔに対応して、駆動制御されることによって、最適温度に空冷されることになる。
【００４２】
このようにして、本実施形態によるファン式空冷装置１０によれば、駆動制御装置１３が、各搭載デバイスの構成情報、例えばＣＰＵ２１の動作周波数，ハードディスクドライブ２２の記憶容量の組合せに対応したフラグ３１を読み出して、このフラグ３１に対応したデータファイル３２を利用する。
そして、駆動制御装置１３が、このデータファイル３２に基づいて、温度センサ１２による検出温度Ｔに対応して、ファン１１の駆動電圧Ｖを設定して、ファン１１を駆動制御する。
【００４３】
これにより、コンピュータ装置の内部の各搭載デバイスの構成情報、例えばＣＰＵ２１の動作周波数，ハードディスクドライブ２２の記憶容量の組合せに応じて、駆動制御装置１３は、ファン１１の駆動電圧Ｖを設定するので、ファン１１の回転数をできるだけ低く抑制することができる。
したがって、最高の動作周波数のＣＰＵ２１が搭載されていても、ハードディスクドライブの記憶容量が比較的小さい場合には、必要以上にファンの駆動電圧を高く設定して、ファン１１の回転数を必要以上に高くするようなことがなく、できるだけファン１１の駆動により生ずる騒音を低減することができる。
【００４４】
上述した実施形態においては、駆動制御装置１３が、搭載デバイスとして、コンピュータ装置のＣＰＵ２１の動作周波数およびハードディスクドライブ２２の記憶容量を識別して、これらに対応してフラグ３１を読み出して、データファイル３２を選択するようになっているが、これに限らず、他の搭載デバイス、例えばメモリやＰＣＩバススロット数を識別するようにして、これらに対応したデータファイルを利用して、ファン１１の駆動電圧Ｖを設定するようにしてもよい。また、上述した実施形態においては、ファン式空冷装置１０は、コンピュータ装置内に備えられているが、これに限らず、他の発熱デバイスを搭載する各種機器に備えるようにしてもよいことは明らかである。
【００４５】
【発明の効果】
以上のように、本発明によれば、各種機器の筐体内の各搭載デバイスの構成情報に応じて、駆動制御装置は、データファイルによりファンの駆動電圧を設定して、ファンの回転数をできるだけ低く抑制することにより、ファンの駆動により発生する騒音が小さくなると共に、ファンの駆動のための消費電力も低減され得ることになる。
このようにして、本発明によれば、ＣＰＵの動作周波数，ハードディスクドライブやメモリ等の記憶容量等の各種搭載デバイスの構成情報に応じて、適正なファンの駆動制御を行なうようにした、極めて優れたファン式空冷装置およびその駆動制御方法を提供することができる。
【図面の簡単な説明】
【図１】本発明のファン式空冷装置の一実施形態の構成を示すブロック図である。
【図２】図１のファン式空冷装置の駆動制御装置におけるフラグ情報を示す図である。
【図３】図１のファン式空冷装置の駆動制御装置における検出温度Ｔ−ファンの駆動電圧Ｖのデータファイルを示す図である。
【図４】従来のファン式空冷装置の一例の構成を示すブロック図である。
【図５】図４のファン式空冷装置の駆動制御装置における検出温度Ｔ−ファンの駆動電圧Ｖのデータファイルを示す図である。
【符号の説明】
１０  ファン式空冷装置
１１  ファン
１２  温度センサ
１３  駆動制御装置
１４  検出温度−ファンの駆動電圧対比データ
２０  コンピュータ装置
２１  ＣＰＵ（搭載デバイス）
２２  ハードディスクドライブ（搭載デバイス）
３０  フラグ情報
３１  フラグ
３２，３２ａ，３２ｂ，３２ｃ  データファイル
【図１】
2004280164.tif 000003
【図２】
2004280164.tif 000004
【図３】
2004280164.tif 000005
【図４】
2004280164.tif 000006
【図５】
2004280164.tif 000007